(57)【要約】【課題】レンズユニット交換時におけるレンズユニットの固定し忘れを低減することが可能な投射型表示装置を提供する。【解決手段】レンズユニット（２００）を交換可能な投射型表示装置（１００）であって、レンズユニットを固定する固定手段（１１４）と、レンズユニットの固定状態を検出する検出手段（１１５）と、検出手段の出力信号に応じた制御を行う制御手段（１０７）とを有する。【選択図】図１
2019015863.tif 000002
【特許請求の範囲】
【請求項１】
レンズユニットを交換可能な投射型表示装置であって、
前記レンズユニットを固定する固定手段と、
前記レンズユニットの固定状態を検出する検出手段と、
前記検出手段の出力信号に応じた制御を行う制御手段と、を有することを特徴とする投射型表示装置。
【請求項２】
前記レンズユニットが固定されていないことを示す情報をユーザに通知する通知手段を更に有し、
前記制御手段は、前記検出手段の前記出力信号が前記レンズユニットが固定されていないことを示す信号である場合、前記情報をユーザに通知するように前記通知手段を制御することを特徴とする請求項１に記載の投射型表示装置。
【請求項３】
前記制御手段は、前記検出手段の前記出力信号が前記レンズユニットが固定されていないことを示す信号である場合、前記レンズユニットの制御を停止することを特徴とする請求項１または２に記載の投射型表示装置。
【請求項４】
前記レンズユニットに電源を供給するレンズ電源手段を更に有し、
前記制御手段は、前記検出手段の前記出力信号が前記レンズユニットが固定されていないことを示す信号である場合、前記レンズユニットに前記電源の供給を停止するように前記レンズ電源手段を制御することを特徴とする請求項１乃至３のいずれか１項に記載の投射型表示装置。
【請求項５】
光源を更に有し、
前記制御手段は、前記検出手段の前記出力信号が前記レンズユニットが固定されていないことを示す信号である場合、前記光源をオフにすることを特徴とする請求項１乃至４のいずれか１項に記載の投射型表示装置。
【請求項６】
前記固定手段は、スピゴット方式で前記レンズユニットを固定することを特徴とする請求項１乃至５のいずれか１項に記載の投射型表示装置。
【請求項７】
前記検出手段は、前記スピゴット方式の回転環の位置を検出することを特徴とする請求項６に記載の投射型表示装置。
【請求項８】
前記検出手段は、前記スピゴット方式の回転環を操作するためのレバーの位置を検出することを特徴とする請求項６に記載の投射型表示装置。
【請求項９】
前記検出手段は、メカニカルスイッチであることを特徴とする請求項１乃至８のいずれか１項に記載の投射型表示装置。
【請求項１０】
前記検出手段は、発光手段と受光手段とを有することを特徴とする請求項１乃至８のいずれか１項に記載の投射型表示装置。
【請求項１１】
前記検出手段は、磁気発生手段と磁気検出手段とを有することを特徴とする請求項１乃至８のいずれか１項に記載の投射型表示装置。
【請求項１２】
前記投射型表示装置は、前記固定手段を用いて前記レンズユニットを固定していない状態でも、前記レンズユニットとの電気的接続が可能であることを特徴とする請求項１乃至１１のいずれか１項に記載の投射型表示装置。
【発明の詳細な説明】
【技術分野】
【０００１】
本発明は、レンズ交換可能な投射型表示装置に関する。
【背景技術】
【０００２】
特許文献１には、レンズ交換式の投射型表示装置が開示されている。レンズ交換式の投射型表示装置は、近い投射距離や遠い投射距離などの投射距離に応じて投射レンズを交換することができるため、イベントなどの様々な場面で活用されている。
【先行技術文献】
【特許文献】
【０００３】
【特許文献１】特開２０１４−１３７５１３号公報
【発明の概要】
【発明が解決しようとする課題】
【０００４】
ところで、特許文献１に開示されているようなレンズ交換式の投射型表示装置では、投射レンズを投射型表示装置の本体に挿入した後に投射レンズの固定を忘れると、光学経路が変化して投射画像に影響しうる。しかしながら、投射レンズを固定しなくても画像を投射することは可能である。また投射型表示装置は、一度設置すると頻繁にレンズ周りを見るような使い方をしないため、ユーザが投射レンズの固定し忘れに気付かず、そのままベストでない状態で使用を継続してしまう可能性がある。また、スピゴット方式のように投射レンズの固定部が別体となっているような方式では、前述のような懸念が増す。
【０００５】
そこで本発明は、レンズユニット交換時におけるレンズの固定し忘れを低減することが可能な投射型表示装置を提供することを目的とする。
【課題を解決するための手段】
【０００６】
本発明の一側面としての投射型表示装置は、レンズユニットを交換可能な投射型表示装置であって、前記レンズユニットを固定する固定手段と、前記レンズユニットの固定状態を検出する検出手段と、前記検出手段の出力信号に応じた制御を行う制御手段とを有する。
【０００７】
本発明の他の目的及び特徴は、以下の実施形態において説明される。
【発明の効果】
【０００８】
本発明によれば、レンズユニット交換時におけるレンズの固定し忘れを低減することが可能な投射型表示装置を提供することができる。
【図面の簡単な説明】
【０００９】
【図１】本実施形態における投射型表示装置のブロック図である。
【図２】本実施形態におけるレンズユニットの固定機構の構成図である。
【図３】本実施形態におけるレンズユニット交換時の制御方法を示すフローチャートである。
【発明を実施するための形態】
【００１０】
以下、本発明の実施形態について、図面を参照しながら詳細に説明する。
【００１１】
まず、図１を参照して、本実施形態における投射型表示装置（プロジェクタ）について説明する。図１は、投射型表示装置１００のブロック図である。投射型表示装置（本体）１００は、レンズユニット（投射レンズユニット）２００を交換可能に取り付けることができる。
【００１２】
画像信号入力部１０１は、画像信号入力用インターフェースコネクタを含み、外部装置から画像信号を入力する。画像信号入力部１０１に入力された画像信号は、画像信号処理部１０２に出力される。画像信号処理部１０２は、台形補正、スケーリング、明るさ補正、コントラスト補正、および、色補正を含む画像補正などの各種信号処理を行う。画像信号処理部１０２から出力された画像信号は、パネル駆動部１０３に出力される。パネル駆動部１０３は、画像信号処理部１０２から出力された画像信号に基づいて、液晶パネル１０４を駆動する。なお液晶パネル１０４は、透過型液晶パネルまたは反射型液晶パネルのいずれでもよい。また、液晶パネル以上の表示素子を用いてもよい。光源１０５から出た光は、液晶パネル１０４により画像変調され、レンズ（投射レンズ）２０１によりスクリーンなどの被投射面に投射される。
【００１３】
ＭＰＵ（本体ＭＰＵ）１０７は、投射型表示装置１００の各部を制御する制御手段である。光源駆動部１０８は、ＭＰＵ１０７の指令に基づいて、光源１０５の点灯・消灯や、光源１０５への供給電力を一定に保つなどの光源駆動を行う。ＭＰＵ１０７は、操作部１０９に入力されたユーザの操作を読み取り、ユーザの操作に応じた動作を行う。表示部１１０は、ＭＰＵ１０７の指令により現在の投射型表示装置１００の状態をユーザへ通知する通知手段である。表示部１１０は、例えば、スタンバイ状態を示すためのＬＥＤ、パワーオン状態を示すためのＬＥＤ、および、ワーニング状態を示すためのＬＥＤを有する。ＭＰＵ１０７は、投射型表示装置１００の状態に応じてＬＥＤを制御する。
【００１４】
レンズ電源（レンズ電源手段）１１１は、レンズユニット（交換レンズユニット）２００内のレンズＭＰＵ２０２へ電源を供給する。レンズＭＰＵ２０２は、ＭＰＵ１０７の指令に従って、レンズ駆動部２０３を制御する。レンズ駆動部２０３は、例えば、レンズ２０１を移動させフォーカスやズームを調整する。
【００１５】
押圧部１１４は、レンズユニット２００を投射型表示装置１００に対して機械的に固定するための固定手段である。レンズユニット２００を投射型表示装置１００へ挿入した後、押圧部１１４を操作することにより、投射型表示装置１００に対するレンズユニット２００の固定が完了する。
【００１６】
押圧部操作検出部１１５は、レンズユニット２００の固定状態、すなわち投射型表示装置１００に対するレンズユニット２００の固定が完了しているか否かを検出する検出手段である。押圧部操作検出部１１５の検出結果（検出結果を示す出力信号）は、ＭＰＵ１０７に出力される。押圧部操作検出部１１５は、例えば機械的なスイッチ（メカニカルスイッチ）である。この場合、押圧部操作検出部１１５は、押圧部１１４の操作に連動してスイッチが操作されるように構成されており、スイッチの出力により押圧部１１４の操作を検出する。または、押圧部操作検出部１１５は、発光素子と受光素子とを有する。この場合、押圧部１１４の操作と発光素子から出力され受光素子に入力される光の量が連動するように構成されており、受光素子の出力により押圧部１１４の操作を検出する。または、押圧部操作検出部１１５は、磁石（磁気発生手段）と磁気検出素子（磁気検出手段）を有する。用い、押圧部１１４の操作と磁石から出力され磁気検出素子に入力される磁力が連動するようになっており、磁気検出素子の出力により押圧部１１４の操作を検出する。
【００１７】
次に、図２を参照して、本実施形態におけるレンズユニット２００の固定機構（スピゴット方式の固定機構）について説明する。図２は、レンズユニット２００の固定機構の構成図である。
【００１８】
レンズユニット２００は、フランジ部２０５および突起部２０６を有する。投射型表示装置１００は、ベース部１５１、押圧部１１４、押圧部操作レバー１５２、押圧部操作検出部１１５、および、爪１５３を有する。フランジ部２０５は、レンズユニット２００の鏡筒部外周面から円形状に突出し、ベース部１５１に対向する。突起部２０６は、フランジ部２０５の外周面から突出している。本実施形態において、突起部２０６は、円周方向に９０度間隔で並んでいる。ベース部１５１は、投射型表示装置１００にレンズユニット２００を固定する際の土台となる部材であり、レンズ２０１の光軸に直交する面を有する。
【００１９】
押圧部１１４は、光軸を中心として回転可能であるようにベース部１５１に配置されている。爪１５３は、押圧部１１４に配置されており、爪１５３がレンズユニット２００の突起部２０６に係合することによりレンズユニット２００を固定する。押圧部操作レバー１５２は、押圧部操作レバー１５２の一端が押圧部１１４に軸支され、他端が操作されることにより押圧部１１４を回転させる。押圧部操作検出部１１５は、ベース部１５１に配置され、押圧部１１４の操作を検出する。本実施形態において、押圧部操作検出部１１５は、機械的なスイッチであり、押圧部１１４に配置された爪１５３によりスイッチ操作されるようにベース部１５１に取り付けられている。押圧部操作検出部１１５は、レンズユニット２００の固定状態に応じてオン／オフする。すなわち、レンズユニット２００が固定されている場合にはスイッチオフとなり、固定解除されている場合にはスイッチオンとなる。
このように押圧部１１４は、スピゴット方式でレンズユニット２００を固定する。本実施形態において、押圧部操作検出部１１５は、スピゴット方式の回転環（押圧部１１４）の位置を検出する。ただし本実施形態は、これに限定されるものではなく、例えば、押圧部操作検出部１１５は、押圧部操作レバー１５２（スピゴット方式の回転環を操作するためのレバー）の位置を検出してもよい。
【００２０】
次に、図３を参照して、本実施形態におけるレンズユニット２００の交換時の制御方法について説明する。図３は、レンズユニット２００の交換時の制御方法を示すフローチャートである。図３の各ステップは、ＭＰＵ１０７の指令に基づいて各部により行われる。
【００２１】
まずステップＳ１０１において、ＭＰＵ１０７は、ユーザが押圧部１１４を操作して投射型表示装置１００に対するレンズユニット２００の固定が完了したか否かを判定する。すなわちＭＰＵ１０７は、押圧部操作検出部１１５の出力信号（検出信号）に基づいて、レンズユニット２００の固定状態（レンズユニット２００が固定されているか否か）を判定する。レンズユニット２００が固定されている場合、ステップＳ１０１を繰り返す。一方、レンズユニット２００が固定されていない場合、ステップＳ１０２へ移行する。
【００２２】
ステップＳ１０２において、表示部１１０は、ＭＰＵ１０７の指令に従って警告表示を行い、レンズユニット２００が固定されていないことをユーザへ通知する。続いてステップＳ１０３において、ＭＰＵ１０７は、レンズＭＰＵ２０２への指令を停止する。続いてステップＳ１０４において、ＭＰＵ１０７は、レンズ電源１１１をオフし、レンズユニット２００への電源の供給を停止する。
【００２３】
このように本実施形態において、ＭＰＵ１０７は、押圧部操作検出部１１５の出力信号に応じた制御を行う。好ましくは、表示部１１０は、レンズユニット２００が固定されていないことを示す情報をユーザに通知する。このときＭＰＵ１０７は、押圧部操作検出部１１５の出力信号がレンズユニット２００が固定されていないことを示す信号である場合、この情報をユーザに通知するように表示部１１０を制御する。また好ましくは、ＭＰＵ１０７は、押圧部操作検出部１１５の出力信号がレンズユニット２００が固定されていないことを示す信号である場合、レンズユニット２００の制御を停止する。また好ましくは、ＭＰＵ１０７は、押圧部操作検出部１１５の出力信号がレンズユニット２００が固定されていないことを示す信号である場合、レンズユニット２００に電源の供給を停止するようにレンズ電源１１１を制御する。
【００２４】
本実施形態の投射型表示装置１００は、スピゴット方式でレンズユニット２００を固定する構造を有する。このため、押圧部１１４を用いてレンズユニット２００を機械的に固定していない状態でも、レンズユニット２００との電気的接続（ＭＰＵ１０７とレンズＭＰＵ２０２との通信、レンズ電源１１１からレンズＭＰＵ２０２への電源供給）が可能である。従って、例えば図３のステップＳ１０３、Ｓ１０４がない場合、活線状態でレンズユニット２００が取り外され、異常電圧や異常電流がレンズユニット２００に流れる可能性がある。このため、ステップＳ１０３、Ｓ１０４を挿入することにより、それらを効果的に防止することができる。ただし、他の方法を採用して対処することができれば、ステップＳ１０３、Ｓ１０４の少なくとも一方を省略してもよい。また、ＭＰＵ１０７は、押圧部操作検出部１１５の出力信号がレンズユニット２００が固定されていないことを示す信号である場合、光源１０５をオフにするように光源駆動部１０８を制御してもよい。
【００２５】
本実施形態によれば、レンズユニット交換時におけるレンズユニットの固定し忘れを低減することが可能な投射型表示装置を提供することができる。
【００２６】
以上、本発明の好ましい実施形態について説明したが、本発明はこれらの実施形態に限定されず、その要旨の範囲内で種々の変形及び変更が可能である。
【符号の説明】
【００２７】
１０７  ＭＰＵ（制御手段）
１００  投射型表示装置
１１４  押圧部（固定手段）
１１５  押圧部操作検出部（検出手段）
【図１】
2019015863.tif 000003
【図２】
2019015863.tif 000004
【図３】
2019015863.tif 000005